(57)【要約】【課題】下糸ボビンを保持する内釜およびその外側を回転して縫い針が下位置に来た時に上糸をすくう外釜の位置が水平および垂直方向に対して固定されているため、水平釜位置、垂直釜位置、垂直正面釜位置での各々の縫製上有利な点を共有できないことである。【解決手段】ボビンを保持する内釜とその外周を回る外釜およびその外釜を支える支持具の位置を縫製用途に応じて水平釜位置から垂直釜位置に垂直方向に９０度回転移動させ、又は、水平釜位置から垂直正面位置に垂直方向に９０度回転移動させ、又は、垂直正面釜位置から垂直釜位置に水平方向に９０度回転移動させ、又は、その逆の位置変換を手動又は模様選択に同期させて自動で行うことにより、下糸ボビンの容易な挿入と縫い方に最も適した釜の位置が一台のミシンで全て得られるミシンの釜位置変換装置。【選択図】    図１
2005021547.tif 000002
【特許請求の範囲】
【請求項１】
ミシンにおいてボビンの外周を回転する外釜とそれを支える支持体の位置を縫製用途に応じて水平位置から垂直位置に、水平位置から垂直正面位置に、垂直正面位置から垂直位置に、又はその逆に手動又は模様選択に同期させて自動で変えることにより、縫い方に最も適した釜の位置が得られるミシンの釜位置変換装置。
【発明の詳細な説明】
【０００１】
【発明の属する技術分野】
本発明は、縫製用途に応じて最も有利な位置に釜を変換移動できるミシン釜位置変換装置に関するものである。
【０００２】
【従来の技術】
従来技術によるミシンは縫製用途によって上糸をすくう外釜の位置と外釜を保持する支持体の位置が決められ、ミシン本体内で固定されている。
【０００３】
【発明が解決しようとする課題】
ミシン本体内で、下糸が入ったボビンケースおよび内釜の外側を回転している外釜の位置が水平および垂直方向に対して固定されているため、水平釜位置、垂直釜位置、垂直正面釜位置での各々の縫製上および操作上の有利な点を共有できないことである。
【０００４】
直線本縫いミシンでは、ボビン外周を回転する外釜を垂直に位置させることにより、外釜が縫製方向と平行に回転するため、天秤による上糸の引き締め動作が早くでき、高速で縫え、しかも上糸が釜により水平方向に引き出されないのでヒッチ縫目が出にくい。
【０００５】
しかし、ボビンを垂直かつ縫製方向と平行に回転する位置に固定されていると、直線縫い以外の千鳥縫いや刺繍縫いをしようとしても針が釜にあたってしまい、出来ないという欠点があり、ボビンケースが上から、すなわち、縫い台の面から挿入できないという不便さがあった。
【０００６】
千鳥縫いミシンまたは刺繍ミシンでは、ボビンを垂直正面に保持することにより、針棒を横方向に振り出したときに、針が左右どちらの位置に来ても釜が上糸のループをすくって上糸を下糸に絡ませている。
【０００７】
しかし、ボビンを垂直正面に保持する方法では、ボビンのセットをミシン本体正面にフタを設けて挿入しなくてはならないことと、上糸が釜により水平方向に引き出されるので、直線縫いの場合にもヒッチ縫目が出やすいという欠点があった。
【０００８】
従来の水平釜位置固定のミシンでは、縫い台の面からふたを開けてボビンを簡単に挿入することが出来る。
【０００９】
しかし、上糸が釜により水平方向に内釜の外周分だけ大きく引き出されるのでヒッチ縫目が出やすいという欠点があった。
【００１０】
【課題を解決するための手段】
ボビンを保持する内釜とその外周を回る外釜およびその外釜を支える支持具の位置を縫製用途に応じて水平釜位置から垂直釜位置に垂直方向に９０度回転移動させ、又は、水平釜位置から垂直正面位置に垂直方向に９０度回転移動させ、又は、垂直正面釜位置から垂直釜位置に水平方向に９０度回転移動させ、又は、その逆の位置変換を手動又は模様選択に同期させて自動で行うことにより、下糸ボビンの容易な挿入と縫い方に最も適した釜の位置が一台のミシンで全て得られるミシンの釜位置変換装置。
【００１１】
【発明の実施の形態】
以下本発明のボビンを保持する内釜とその外周を回る外釡およびその外釜を支える支持体の位置を縫製用途に応じて水平方向または垂直方向に回転移動させるミシンの釜位置変換装置を説明する。
【００１２】
図１はこの発明の一実施形態を示す斜視図である。図１で符号ｇは内釜を示し、この内釜の中にはボビンケースとボビンケースの中には下糸が巻かれたボビンが入っている。ボビンとボビンケースについては図１では省略してある。符号ｆはｇの内釜の外側を回転する外釜である。ｅはその外釜を支える支持体である。本実施形態では外釜を支える支持体ｅにａ、ｂ、ｃ、ｄの４つの支軸が挿入されている。図１に示す状態では、針ｈが上下する方向の上側、すなわち縫い台の面から下糸ボビンの入ったボビンケースを容易に挿入できる。ボビンケースを挿入した後、針の横方向への振り出しが不要な直線縫いをする場合は、手動または直線縫いを選択することによって、コンピューター制御装置を介して自動でｄとｃの支軸を貫く回転軸ｋとｍを中心にして垂直方向に９０度回転することにより、図７に示すように垂直釜位置に変換できる。
【００１３】
また、手動、又は、模様縫いを選択することにより、コンピューター制御装置を介して自動で手動図１の水平釜の状態からａとｂの支軸を貫く回転軸ｉとｊを中心にして垂直方向に９０度回転させることにより、図２に示すように垂直正面釜位置に変換できる。図２の垂直正面釜の状態からｃとｄを貫く回転軸ｋとｍを中心にして水平方向に９０度回転させることにより、図３に示すように垂直釜の位置に変換できる。
【００１４】
図１において外釜を支える支持体ｅには回転支軸ａ、ｂ、ｃ、ｄとの連結、非連結を選択的に行えるように支軸が挿入できるほぼ同一径の穴があいており、ミシン本体側からａ、ｂ、ｃ、ｄの支軸を差し込むことで外釜を支える支持体ｅは保持されている。
【００１５】
【実施例】
発明の実施の形態の項目の中で説明したように図１において、ｄとｃの支軸を貫く回転軸ｋとｍを中心にして垂直方向に９０度回転することにより、図７に示すように垂直釜位置に変換する場合は、図８に示すように回転に不要な支軸ａとｂは外釜を支える支持体ｅからは抜かれるので回転の妨げにならない。図１において、ａとｂの支軸を貫く回転軸ｉとｊを中心にして垂直方向に９０度回転することにより、図２に示すように垂直正面釜位置に変換する場合は、図９に示すように回転に不要な支軸ｃとｄは外釜を支える支持体ｅからは抜かれるので回転の妨げにならない。
【００１６】
【発明の効果】
釜の位置を水平、垂直、垂直正面と目的に合わせて一台のミシンで自在に変換出来ることになり、水平釜の利点、すなわち、ボビンまたはボビンケースを上から、すなわち縫製台の面から入れやすいという優位点と、垂直釜の利点、すなわち、外釜の回転方向が縫製方向に対して平行なので直線を縫う場合にヒッチ縫目でにくいという優位点、垂直正面釜の利点、すなわち、外釜によりすくわれる上糸の下方向に引き出されるので、天秤ですばやく上糸を引き締められるという優位点を共有できる。
【００１７】
また、垂直釜の左右に模様が振り出せないという欠点が解消され、垂直釜と垂直正面釜のボビンケースが挿入しにくいという欠点も解消される。
【００１８】
水平釜固定の場合、釜の内部の掃除をする場合、ごみや埃を履きだしにくいという欠点があったが、この釜位置変換装置を使用すれば、垂直正面釜位置に変換して履きだしが容易に行える。
【図面の簡単な説明】
【図１】ミシン釜位置変換装置の実施方法の一例を示した斜視図である。
【図２】ミシン釜位置変換装置の図１において説明した水平釜の位置が図１中で示す支軸ａと支軸ｂによって９０度回転させられ垂直正面釜の位置に変換させられた時の状態を示す斜視図である。
【図３】ミシン釜位置変換装置の図２において説明した垂直正面釜の位置が図２中で示す支軸ｃと支軸ｄによって９０度回転させられ垂直釜の位置に変換させられた時の状態を示す斜視図である。
【図４】従来技術ではミシンの水平釜の位置を移動変換させる装置をもたないために水平釜から垂直方向に変換できなかったことを示す斜視図である。
【図５】従来技術ではミシンの垂直正面釜の位置を移動変換させる装置をもたないために垂直正面釜から水平釜位置または垂直釜位置に変換できなかったことを示す斜視図である。
【図６】従来技術ではミシンの垂直釜の位置を移動変換させる装置をもたないために垂直釜から水平釜位置または垂直正面釜位置に変換できなかったことを示す斜視図である。
【図７】ミシン釜位置変換装置の図１において説明した水平釜の位置が図１中で示す支軸ｃと支軸ｄによって９０度回転させられ垂直正面の位置に変換させられた時の状態を示す斜視図である。
【図８】ミシン釜位置変換装置が図１の状態から、ｃとｄの支軸を貫く回転軸ｋとｍを中心にして垂直方向に９０度回転する場合に、回転の妨げにならなくするために、回転に不要な支軸ａとｂが外釜を支える支持体ｅから抜かれた状態を示す斜視図である。
【図９】ミシン釜位置変換装置が図１の状態から、ａとｂの支軸を貫く回転軸ｉとｊを中心にして垂直方向に９０度回転する場合に、回転の妨げにならなくするために、回転に不要な支軸ｃとｄが外釜を支える支持体ｅから抜かれた状態を示す斜視図である。
【符号の説明】
ａ    回転の支軸
ｂ    回転の支軸
ｃ    回転の支軸
ｄ    回転の支軸
ｅ    外釜を支える支持体
ｆ    糸をすくう釜先がついたかまで縫製する場合に回転運動するもの（外釜）
ｇ    下糸ボビンが入ったボビンケースおよび内釜
ｈ    針
ｉ    ａの回転支軸を貫く回転軸
ｊ    ｂの回転支軸を貫く回転軸
ｋ    ｃの回転支軸を貫く回転軸
ｍ    ｄの回転支軸を貫く回転軸
【図１】
2005021547.tif 000003
【図２】
2005021547.tif 000004
【図３】
2005021547.tif 000005
【図４】
2005021547.tif 000006
【図５】
2005021547.tif 000007
【図６】
2005021547.tif 000008
【図７】
2005021547.tif 000009
【図８】
2005021547.tif 000010
【図９】
2005021547.tif 000011